(57)【要約】      （修正有）【課題】施設物が、特に夜間において、遠距離からでも容易に視認でき、さらに多様な構成を持つ種々の施設物に対しても、容易に、かつ経済性を考慮して、取り付け及び取り外しが可能な構成を有する反射体を設けた安全標識兼用反射バンドを提供する。【解決手段】耐候性にすぐれ、強度とともに、弾性にすぐれたビニール樹脂やポリエチレンテレフタレート樹脂などの樹脂バンドや、ステンレスなどの金属バンドであり、用途に応じて、任意な幅、長さを有するバンドに、外周面は、トラ縞模様などの任意の色・模様や文字で企画された光反射シート２を接合したカール状のバンド本体１と、切断したバンド３を、粘着力ではなく、締め付け力によって、留め具などで固定し、その施設物や付属物などに保持させる、ないし施設物と付属物を一体として保持するなどにより、容易に取り付け及び取り外しを可能とする特徴を有する。【選択図】図１
0003203813.tif 000002
【実用新案登録請求の範囲】
【請求項１】
耐候性や強度、弾性にすぐれたビニール樹脂やポリエチレンテレフタレート樹脂などの樹脂バンドや、ステンレスなどの金属バンドであり、用途に応じて、任意な幅や長さで企画されたバンドである。その外周面にはトラ縞模様などの任意の色、模様や文字で企画された、光反射シートを接合し、それが、ロール状に巻き付けられた状態にあり、ロール状態をほどき、施設物や付属物、器具・工具の外周に応じて任意に切断して使用することを特徴とする安全標識兼用反射バンド。
【請求項２】
切断したバンドを、外周面の反射シートを表面にして、粘着力ではなく、締め付け力によって巻き付けて、留め具などによって固定し、施設物や付属物、器具・工具に保持させる、ないし施設物や付属物を一体として保持するとともに、容易にバンドの取り付け及び取り外しを可能とする安全標識兼用反射バンド。
【考案の詳細な説明】
【技術分野】
【０００１】  本考案は、道路周辺や住宅街、公園などの屋外における棒や柱状体、構造体などの施設物に係り、特に、電柱や道路標識柱、信号柱などの外周に装着させて、夜間に、外部からの視認を容易にした反射機能を有する安全標識兼用のバンドに関する。
【背景技術】
【０００２】  従来、道路周辺や住宅街、また公園など屋外における公共の場所には種々の棒や柱状体、構造体などの施設物が設置されており、夜間の通行や運転の安全性を確保するとともに、夜間に道路を走行する車両と接触あるいは衝突して施設物が破壊されるのを防止する観点から、種々の施設物の形状に応じて、光反射機能を有する様々な安全標識体が用いられている。
【先行技術文献】
【特許文献】
【０００３】
【特許文献１】  特開平８−３０２０５
【非特許文献】
【０００４】
【非特許文献１】  大東電材株式会社  製品カタログ  製品名  電柱標識板  製品名  ビニールバンド
【非特許文献２】  株式会社須田製作所  製品カタログ  製品名  樹脂バンド  製品名  ステンレスバンド
【考案の概要】
【考案が解決しようとする課題】  これらの施設物は、様々な材質や形状からなり、また付属物が別個に連結で設けられていることから、その取り付け作業が煩わしいとともに、施設物や付属物の種々の素材や形状に応じて、専用の光反射機能を有する安全標識体を取り付ける必要があった。そのために、すべての施設物に対して、専用の光反射機能を有する安全標識体を取り付けることが、経済的でないため、夜間の通行や運転に特に支障をきたす場所や箇所等に重点的に取り付ける必要があった。本考案は、上記事情を考慮してなされたものであり、その目的は、道路周辺に設置した施設物である棒や柱状体、あるいは構造体などの施設物に装着設置して、既存の各種バンドや安全標識体の代替や補足をすることで高い経済性を実現するとともに、施設物が、特に夜間において、遠距離からでも容易に視認でき、さらに多様な構成を持つ種々の施設物に対しても、容易に、取り付け及び取り外しが可能な、光反射体を設けた安全標識兼用のバンドを提供することにある。
【課題を解決するための手段】  上記課題を解決するために、この考案は、耐候性にすぐれ、強度とともに、弾性にすぐれたビニール樹脂や、ポリエチレンテレフタレート樹脂、ステンレスなどの素材で、任意な幅や長さで企画されたバンドに、外周面はトラ縞模様などの任意な色、模様あるいは文字などで企画された光反射シートを接合した、ロール状のバンド本体と、切断したバンドを、粘着力ではなく、締め付け力によって巻き付けて、留め具などによって固定し、施設物や付属物などに保持させる、ないし施設物と付属物を一体として保持するなどにより、容易にバンドの取り付け及び取り外しを可能とする特徴を有するものである
【考案の効果】  以上説明したように、本考案の安全標識兼用反射バンドによれば、道路周辺の施設物や付属物などに特別な加工を施す必要がなく、また内周面には強い粘着性を必要としないから、容易に、かつ確実に取り付け及び取り外しができ、また、素材や幅、長さ、色、模様等が任意であるとともに、施設物などの外周に応じての切断が可能であるから、それぞれの形状や用途に適した光反射バンドを選択でき、既存のバンドや安全標識体の代替や補足が可能なことから経済性にも優れ、また外周面に接合した光反射シートにより、夜間においては、施設物などに対する円周方向からの光の反射を可能とする。
【図面の簡単な説明】
【図１】安全標識兼用反射バンドの装着前の基本的な状態である。
【図２】安全標識兼用反射バンドの装着状態である。
【図３】本考案を各施設物等に実施した状態を示す図である。
【考案を実施するための形態】
バンドを容易にほどき、再使用や必要な長さごとに切断しやすいように、本体は弾性に優れたバンドがロール状に巻き付けられた形態である。また、バンド本体の外周面には光反射シートが接合された形態である。そして、切断したバンドの外周面を表面にして、粘着力ではなく、締め付け力によって巻き付けて、留め具などによって固定し、施設物やその付属物などに保持させる、ないし施設物と付属物を一体として保持するなどにより、容易に安全標識体の取り付け及び取り外しを可能とする。
【実施例】  道路沿いに建つ電柱に、接地線や引揚管等とともに、安全標識兼用反射バンドを巻き付け、付属物を施設物に固定させるバンドの代替や補足とする、あるいは、接地線や引揚管等の内周から電柱に巻き付け、付属物の取り外しを容易化しつつ、施設物に保持させる、ないし、引揚管そのものに巻き付けて、付属物そのものに保持させる等が可能であり、夜間は、電柱の、全円周方向からの車両などの接近に対しても、光を反射することが可能である。
【産業上の利用可能性】  本考案は、道路周辺における電柱や道路標識柱本体のみでなく、支線ガードや支柱、接地線、引揚管、配管、電気通信線、広告看板などの付属物や、ガードレールの柵柱や信号柱、街灯柱、看板柱、防護柵、駐車場の柱、街路樹、橋上の柵柱、高架道路の橋柱などの施設物や、屋内やトンネル内、地下などの暗所における施設物や付属物など、さらに道路上での夜間作業における工事車両の部位や、円柱コーン、脚立、梯子等の器具・工具にも装着可能である。したがって、本考案の技術範囲は前記実施例に限定されるものでなく、実用新案登録請求の範囲とそれに均等なものによって定められるべきである。
【符号の説明】（１）    安全標識兼用反射ベルト本体
（２）    光反射シート
（３）    切断した安全標識兼用反射ベルト
（４）    電柱
（５）    装着設置済みの安全標識用反射ベルト
（６）    電気通信線
（７）    引揚管
（８）    広告看板
（９）    既存のバンド金物
（１０）  施設物の例
（１１）  付属物の例
（１２）  器具・工具の例
【図１】
0003203813.tif 000003
【図２】
0003203813.tif 000004
【図３】
0003203813.tif 000005
【手続補正書】
【提出日】平成27年10月1日(2015.10.1)
【手続補正１】
【補正対象書類名】実用新案登録請求の範囲
【補正対象項目名】全文
【補正方法】変更
【補正の内容】
【実用新案登録請求の範囲】
【請求項１】
耐候性や強度、弾性にすぐれたビニール樹脂やポリエチレンテレフタレート樹脂などの樹脂バンドや、ステンレスなどの金属バンドであり、用途に応じて、任意な幅や長さで企画されたバンドである。その外周面には、トラ縞模様などの任意の色、模様や文字で企画された、光反射シートが接合され、それが、ロール状に巻き付けられた状態にあり、ロール状態をほどき、施設物や付属物、器具・工具の外周に応じて任意に切断して使用することを特徴とする安全標識兼用反射バンド。
【手続補正２】
【補正対象書類名】明細書
【補正対象項目名】全文
【補正方法】変更
【補正の内容】
【考案の詳細な説明】
【技術分野】
【０００１】  本考案は、道路周辺や住宅街、公園などの屋外における棒や柱状体、構造体などの施設物に係り、特に、電柱や道路標識柱、信号柱などの外周に装着させて、夜間に、外部からの視認を容易にした反射機能を有する安全標識兼用のバンドに関する。
【背景技術】
【０００２】  従来、道路周辺や住宅街、また公園など屋外における公共の場所には種々の棒や柱状体、構造体などの施設物が設置されており、夜間の通行や運転の安全性を確保するとともに、夜間に道路を走行する車両と接触あるいは衝突して施設物が破壊されるのを防止する観点から、種々の施設物の形状に応じて、光反射機能を有する様々な安全標識体が用いられている。
【先行技術文献】
【特許文献】
【０００３】
【特許文献１】  特開平８−３０２０５
【特許文献２】  特開２００１−３４８８２３
【非特許文献】
【０００４】
【非特許文献１】  大東電材株式会社  製品カタログ  製品名  電柱標識板  製品名  ビニールバンド
【非特許文献２】  株式会社須田製作所  製品カタログ  製品名  樹脂バンド  製品名  ステンレスバンド
【考案の概要】
【考案が解決しようとする課題】
【０００５】  これらの施設物は、様々な材質や形状からなり、また付属物が別個に連結で設けられていることから、その取り付け作業が煩わしいとともに、施設物や付属物の種々の素材や形状に応じて、専用の光反射機能を有する安全標識体を取り付ける必要があった。そのために、すべての施設物に対して、専用の光反射機能を有する安全標識体を取り付けることが、経済的でないため、夜間の通行や運転に特に支障をきたす場所や筒所等に重点的に取り付ける必要があった。本考案は、上記事情を考慮してなされたものであり、その目的は、道路周辺に設置した施設物である棒や柱状体、あるいは構造体などの施設物に装着設置して、既存の各種バンドや安全標識体の代替や補足をすることで高い経済性を実現するとともに、施設物が、特に夜間において、遠距離からでも容易に視認でき、さらに多様な構成を持つ種々の施設物に対しても、容易に、取り付け及び取り外しが可能な、光反射体を設けた安全標識兼用のバンドを提供することにある。
【課題を解決するための手段】
【０００６】  上記課題を解決するために、この考案は、耐候性にすぐれ、強度とともに、弾性にすぐれたビニール樹脂や、ポリエチレンテレフタレート樹脂、ステンレスなどの素材で、任意な幅や長さで企画されたバンドに、外周面はトラ縞模様などの任意な色、模様あるいは文字などで企画された光反射シートを接合したロール状のバンド本体と、切断したバンドを、粘着力ではなく、締め付け力によって巻き付けて、留め具などによって固定し、施設物や付属物などに保持させる、ないし施設物と付属物を一体として保持するなどにより、容易にバンドの取り付け及び取り外しを可能とする特徴を有するものである。
【考案の効果】
【０００７】  以上説明したように、本考案の安全標識兼用反射バンドによれば、道路周辺の施設物や付属物などに特別な加工を施す必要がなく、また内周面には強い粘着性を必要としないから、容易に、かつ確実に取り付け及び取り外しができ、また、素材や幅、長さ、色、模様等が任意であるとともに、施設物などの外周に応じての切断が可能であるから、それぞれの形状や用途に適した光反射バンドを選択でき、既存のバンドや安全標識体の代替や補足が可能なことから経済性にも優れ、また外周面に接合した光反射シートにより、夜間においては、施設物などに対する円周方向からの光の反射を可能とする。
【図面の簡単な説明】
【０００８】
【図１】安全標識兼用反射バンドの装着前の基本的な状態である。
【図２】安全標識兼用反射バンドの装着状態である。
【図３】本考案を各施設物等に実施した状態を示す図である。
【考案を実施するための形態】
【０００９】  バンドを容易にほどき、再使用や必要な長さごとに切断しやすいように、本体は弾性に優れたバンドがロール状に巻き付けられた形態である。また、バンド本体の外周面には、接着剤によって光反射シートが接合された形態である。
【実施例】
【００１０】  道路沿いに建つ電柱に、接地線や引揚管等とともに、安全標識兼用反射バンドを巻き付け、付属物を施設物に固定させるバンドの代替や補足とする、あるいは、接地線や引揚管等の内周から電柱に巻き付け、付属物の取り外しを容易化しつつ、施設物に保持させる、ないし、引揚管そのものに巻き付けて、付属物そのものに保持させる等が可能であり、夜間は、電柱の、全円周方向からの車両などの接近に対しても、光を反射することが可能である。
【産業上の利用可能性】
【００１１】  本考案は、道路周辺における電柱や道路標識柱本体のみでなく、支線ガードや支柱、接地線、引揚管、配管、電気通信線、広告看板などの付属物や、ガードレールの柵柱や信号柱、街灯柱、看板柱、防護柵、駐車場の柱、街路樹、橋上の柵柱、高架道路の橋柱などの施設物や、屋内やトンネル内、地下などの暗所における施設物や付属物など、さらに道路上での夜間作業における工事車両の部位や、円柱コーン、脚立、梯子等の器具・工具にも装着可能である。
【符号の説明】
【００１２】（１）    安全標識兼用反射ベルト本体
（２）    光反射シート
（３）    切断した安全標識兼用反射ベルト
（４）    電柱
（５）    装着設置済みの安全標識用反射ベルト
（６）    電気通信線
（７）    引揚管
（８）    広告看板
（９）    既存のバンド金物
（１０）  施設物の例
（１１）  付属物の例
（１２）  器具・工具の例
【手続補正書】
【提出日】平成28年1月25日(2016.1.25)
【手続補正１】
【補正対象書類名】実用新案登録請求の範囲
【補正対象項目名】全文
【補正方法】変更
【補正の内容】
【実用新案登録請求の範囲】
【請求項１】
対候性や強度、弾性にすぐれたビニール樹脂やポリエチレンテレフタレート樹脂などの樹脂バンドや、ステンレスなどの金属バンドであり、用途に応じて、任意な幅や長さで企画されたバンドであって、その外周面には、トラ縞模様などの任意の色、模様や文字で企画された、光反射シートを接合し、それが、ロール状に巻き付けられた状態にあり、ロール状態をほどき、施設物や付属物、器具・工具の外周に応じて任意に切断して使用することを特徴とする安全標識兼用反射バンド。